(57)【要約】【課題】  マルチモード無線送信機の回路が複雑でかつ、大きいので、携帯用無線機に盛り込むことに問題があった。【解決手段】  マルチモード無線送信機の回路において、第１周波数モードの回路と、第２周波数モードの回路との分周器を共通に利用できるような構成とした。【選択図】図１
2005287001.tif 000002
【特許請求の範囲】
【請求項１】
所定の周波数で発振する第１の発振器と、
前記第１の発振器で生成した信号の周波数を２分の１に分周すると共に、互いに位相が９０度異なる第１の搬送波ｆｏＩａと、第２の搬送波ｆｏＱａを出力する第１の分周器と、
前記第１の発振器と異なる所定の周波数で発振する第２の発振器と、
前記第２の発振器で生成した信号の周波数を２分の１に分周する第２の分周器と、
前記第２の分周器の出力信号の周波数を更に２分の１に分周すると共に、互いに位相が９０度異なる第３の搬送波ｆｏＩｂと、第４の搬送波ｆｏＱｂを出力する第３の分周器と、
第１の搬送波ｆｏＩａと、第３の搬送波ｆｏＩｂを受け、制御信号によりいずれか一方の搬送波を選択し、選択した搬送波を増幅し出力する第１の切換増幅器と、
第２の搬送波ｆｏＱａと、第４の搬送波ｆｏＱｂを受け、上記制御信号によりいずれか一方の搬送波を選択し、選択した搬送波を増幅し出力する第２の切換増幅器と、
ベースバンド信号を、前記第１及び第２の切換増幅器のそれぞれの出力信号により直交変調する直交変調器と
を備えたことを特徴とするマルチモード無線送信機。
【請求項２】
更に、前記第１の分周器の出力信号の周波数を更に２分の１に分周する第４の分周器と、
前記第３の分周器からの出力信号と、前記第４の分周器からの出力信号を受け、上記制御信号によりいずれか一方の出力信号を選択し、選択した出力信号を増幅し出力する第３の切換増幅器と、
前記選択した出力信号を、所定の基準信号と比較し、位相ズレに対応した信号を出力する周波数シンセサイザと、
前記周波数シンセサイザの出力信号を受けるループフィルタとを備え、
ループフィルタの出力を用いて前記第１の発振器または前記第２の発振器の発振周波数を安定させることを特徴とする請求項１記載のマルチモード無線送信機。
【請求項３】
前記第１の分周器と第２の分周器を一つの分周器で構成したことを特徴とする請求項１記載のマルチモード無線送信機。
【請求項４】
前記第３の分周器と第４の分周器を一つの分周器で構成したことを特徴とする請求項１記載のマルチモード無線送信機。
【請求項５】
前記第１の発振器と第２の発振器を一つの発振器で構成したことを特徴とする請求項１記載のマルチモード無線送信機。
【請求項６】
前記第１分周器より第４分周器の方が、動作電流が少ないことを特徴とする請求項１記載のマルチモード無線送信機。
【請求項７】
前記第２分周器より第３分周器の方が、動作電流が少ないことを特徴とする請求項１記載のマルチモード無線送信機。
【請求項８】
所定の周波数で発振する第１の発振器と、
前記第１の発振器で生成した信号の周波数を２分の１に分周すると共に、互いに位相が９０度異なる第１の搬送波ｆｏＩａと、第２の搬送波ｆｏＱａを出力する第１の分周器と、
前記第１の発振器と異なる所定の周波数で発振する第２の発振器と、
前記第２の発振器で生成した信号の周波数を２分の１に分周する第２の分周器と、
前記第２の分周器の出力信号の周波数を更に２分の１に分周すると共に、互いに位相が９０度異なる第３の搬送波ｆｏＩｂと、第４の搬送波ｆｏＱｂを出力する第３の分周器と、
第１の搬送波ｆｏＩａと、第３の搬送波ｆｏＩｂを受け、制御信号によりいずれか一方の搬送波を選択し、選択した搬送波を増幅し出力する第１の切換増幅器と、
第２の搬送波ｆｏＱａと、第４の搬送波ｆｏＱｂを受け、上記制御信号によりいずれか一方の搬送波を選択し、選択した搬送波を増幅し出力する第２の切換増幅器と、
ベースバンド信号を、前記第１及び第２の切換増幅器のそれぞれの出力信号により直交変調する直交変調器と、
第１の処理回路と、
第２の処理回路とを備え、
前記第１の処理回路は、第１の搬送波ｆｏＩａと、第２の搬送波ｆｏＱａが選択されたときに動作可能となる
前記直交変調器からの出力を増幅する第１増幅手段と、
前記第１増幅手段に接続した第１アンテナ共用手段と
を有し、
前記第２の処理回路は、第３の搬送波ｆｏＩｂと、第４の搬送波ｆｏＱｂが選択されたときに動作可能となる
前記直交変調器からの出力を増幅する第２増幅手段と、
前記第１増幅手段に接続した第２アンテナ共用手段と
を有し、更に、
前記第１アンテナ共用手段と、第２アンテナ共用手段とに切替可能なスイッチと、
前記スイッチに接続されたアンテナと
を備えたことを特徴とする携帯無線機。
【請求項９】
所定の第１の周波数で発振し、
前記第１の周波数を２分の１に分周すると共に、互いに位相が９０度異なる第１の搬送波ｆｏＩａと、第２の搬送波ｆｏＱａを出力し、
前記第１の周波数と異なる所定の第２周波数で発振し、
前記第２の周波数を２分の１に分周し、
１／２に分周された第２の周波数を更に２分の１に分周すると共に、互いに位相が９０度異なる第３の搬送波ｆｏＩｂと、第４の搬送波ｆｏＱｂを出力し、
第１の搬送波ｆｏＩａと、第３の搬送波ｆｏＩｂを受け、制御信号によりいずれか一方の搬送波を選択し、選択した搬送波を増幅し出力し、
第２の搬送波ｆｏＱａと、第４の搬送波ｆｏＱｂを受け、上記制御信号によりいずれか一方の搬送波を選択し、選択した搬送波を増幅し出力し、
ベースバンド信号を、選択された２つの出力信号により直交変調することを特徴とするマルチモード無線送信方法。
【発明の詳細な説明】
【技術分野】
【０００１】
本発明は、携帯無線通信機器の高周波集積回路に係り、特に、小型化・軽量化・低消費電力化を図ったマルチモード無線送信機及びこれを用いた携帯無線機に関するものである。
【背景技術】
【０００２】
近年、移動体通信機器においては、様々なシステムが複合してきており、周波数帯も複数にまたがるマルチバンドシステムが増えてきている。従来、このようなシステムに対応した無線機は非常に複雑な構成になり回路規模も増大して、発振器数も多くスプリアスの要因にもなっている。
【特許文献１】特開２０００−１３２７４号公報
【発明の開示】
【発明が解決しようとする課題】
【０００３】
しかしながら、このような従来の周波数帯を使用するデュアルモード携帯通信端末では、無線部の共有部分が少なく、送信系では完全２系統となり、小型化・軽量化・低消費電力化が極めて困難であった。
【０００４】
本発明は、前記従来技術の課題を解決することに指向するものであり、２周波数帯を使用するデュアルモード携帯通信端末送信系の直交変調器、増幅器を共有し、増幅器出力にスイッチを設けて、異なるモードの送信系回路に信号を供給し、また発振器と２つの分周器の動作状態をスイッチによりモードを切り換え制御できるように設定して、小型化・軽量化・低消費電力化を図ったマルチモード無線送信機及びこれを用いた携帯無線機を提供することを目的とする。
【課題を解決するための手段】
【０００５】
この目的を達成するために、本発明に係るマルチモード無線送信機は、所定の周波数で発振する第１の発振器と、
前記第１の発振器で生成した信号の周波数を２分の１に分周すると共に、互いに位相が９０度異なる第１の搬送波ｆｏＩａと、第２の搬送波ｆｏＱａを出力する第１の分周器と、
前記第１の発振器と異なる所定の周波数で発振する第２の発振器と、
前記第２の発振器で生成した信号の周波数を２分の１に分周する第２の分周器と、
前記第２の分周器の出力信号の周波数を更に２分の１に分周すると共に、互いに位相が９０度異なる第３の搬送波ｆｏＩｂと、第４の搬送波ｆｏＱｂを出力する第３の分周器と、
第１の搬送波ｆｏＩａと、第３の搬送波ｆｏＩｂを受け、制御信号によりいずれか一方の搬送波を選択し、選択した搬送波を増幅し出力する第１の切換増幅器と、
第２の搬送波ｆｏＱａと、第４の搬送波ｆｏＱｂを受け、上記制御信号によりいずれか一方の搬送波を選択し、選択した搬送波を増幅し出力する第２の切換増幅器と、
ベースバンド信号を、前記第１及び第２の切換増幅器のそれぞれの出力信号により直交変調する直交変調器と
を備えたことを特徴とする。
【０００６】
また、本発明にかかるマルチモード無線送信機は、
更に、前記第１の分周器の出力信号の周波数を更に２分の１に分周する第４の分周器と、
前記第３の分周器からの出力信号と、前記第４の分周器からの出力信号を受け、上記制御信号によりいずれか一方の出力信号を選択し、選択した出力信号を増幅し出力する第３の切換増幅器と、
前記選択した出力信号を、所定の基準信号と比較し、位相ズレに対応した信号を出力する周波数シンセサイザと、
前記周波数シンセサイザの出力信号を受けるループフィルタとを備え、
ループフィルタの出力を用いて前記第１の発振器または前記第２の発振器の発振周波数を安定させることを特徴とする。
【０００７】
また、本発明にかかるマルチモード無線送信機は、
前記第１の分周器と第２の分周器を一つの分周器で構成したことを特徴とする。
また、本発明にかかるマルチモード無線送信機は、
前記第３の分周器と第４の分周器を一つの分周器で構成したことを特徴とする。
また、本発明にかかるマルチモード無線送信機は、
前記第１の発振器と第２の発振器を一つの発振器で構成したことを特徴とする。
更に、本発明にかかる携帯無線機は、
所定の周波数で発振する第１の発振器と、
前記第１の発振器で生成した信号の周波数を２分の１に分周すると共に、互いに位相が９０度異なる第１の搬送波ｆｏＩａと、第２の搬送波ｆｏＱａを出力する第１の分周器と、
前記第１の発振器と異なる所定の周波数で発振する第２の発振器と、
前記第２の発振器で生成した信号の周波数を２分の１に分周する第２の分周器と、
前記第２の分周器の出力信号の周波数を更に２分の１に分周すると共に、互いに位相が９０度異なる第３の搬送波ｆｏＩｂと、第４の搬送波ｆｏＱｂを出力する第３の分周器と、
第１の搬送波ｆｏＩａと、第３の搬送波ｆｏＩｂを受け、制御信号によりいずれか一方の搬送波を選択し、選択した搬送波を増幅し出力する第１の切換増幅器と、
第２の搬送波ｆｏＱａと、第４の搬送波ｆｏＱｂを受け、上記制御信号によりいずれか一方の搬送波を選択し、選択した搬送波を増幅し出力する第２の切換増幅器と、
ベースバンド信号を、前記第１及び第２の切換増幅器のそれぞれの出力信号により直交変調する直交変調器と、
第１の処理回路と、
第２の処理回路とを備え、
前記第１の処理回路は、第１の搬送波ｆｏＩａと、第２の搬送波ｆｏＱａが選択されたときに動作可能となる
前記直交変調器からの出力を増幅する第１増幅手段と、
前記第１増幅手段に接続した第１アンテナ共用手段と
を有し、
前記第２の処理回路は、第３の搬送波ｆｏＩｂと、第４の搬送波ｆｏＱｂが選択されたときに動作可能となる
前記直交変調器からの出力を増幅する第２増幅手段と、
前記第１増幅手段に接続した第２アンテナ共用手段と
を有し、更に、
前記第１アンテナ共用手段と、第２アンテナ共用手段とに切替可能なスイッチと、
前記スイッチに接続されたアンテナと
を備えたことを特徴とする。
【発明の効果】
【０００８】
前記構成によれば、デュアルモード無線送信機において、中間周波数を使用しないことから発振器の個数を削減し、直交変調器，増幅器を共有化でき、かつベースバンド信号処理部からのベースバンド信号の入力端子を少なくでき、これを用いる携帯無線機においても、小型化できる。
【０００９】
また、本発明によれば、中間周波数を使用しないことで発振器の個数を削減でき、かつ変調器も共通化することにより小型化が可能となり、直交変調器の共通化によってベースバンド信号処理部からのベースバンド信号入力端子を少なくでき、キャリアリークの調整も容易にできるという効果を奏する。
【発明を実施するための最良の形態】
【００１０】
以下、図面を参照して本発明における実施の形態を詳細に説明する。
【００１１】
図１は本発明の実施の形態１におけるマルチモード無線送信機の概略構成を示すブロック図である。図１において、１００，１０１は第１，第２の発振器、１０２，１０３，１０４，１０５は第１，第２，第３，第４の分周器、１０６，１０７，１０８は２入力から一方の出力を選択し出力する切換機能を有する第１，第２，第３の切換増幅器、１０９は直交変調器、１１０，１１１，１１２，１１３，１１４，１１５は第１，第２，第３，第４，第５，第６の増幅器、１１６，１１７は第１，第２のバンドパスフィルタ、１１８は周波数シンセサイザ（可変分周器）、１１９はループフィルタ、１２０，１２１は第１，第２の共用器、１２２はモードスイッチ、１２３は外部アンテナである。
【００１２】
以上のように構成されたマルチモード無線送信機の動作を以下に説明する。まず、第１の周波数（２ＧＨｚ）モードの場合、第１の発振器１００から周波数Ｆ１、たとえば４ＧＨｚの信号を生成し、第１の分周器１０２により（１／Ｎ１）、たとえば１／２に分周した２ＧＨｚの互いに位相差が９０度の２つの搬送波ｆｏＩａ，ｆｏＱａを出力する。第１の切換増幅器１０６で搬送波ｆｏＩａを増幅し、第２の切換増幅器１０７でもう一方の９０度位相のずれた搬送波ｆｏＱａを増幅する。切替増幅器１０６，１０７のそれぞれの出力信号、及びベースバンド信号処理部からのベースバンド信号を直交変調器１０９に入力して変調信号を得る。以上のように、第１の周波数モードのときは、第１の搬送波ｆｏＩａと、第２の搬送波ｆｏＱａが選択され、処理される。
【００１３】
この出力を第１，第２の増幅器１１０，１１１で増幅して、第１のバンドパスフィルタ１１６で必要な帯域以外の周波数を除去し、さらに第３の増幅器１１２により送信信号を増幅し、第１の共用器１２０，モードスイッチ１２２を通過し、外部アンテナ１２３に送られる。第１，第２の増幅器１１０，１１１、第１のバンドパスフィルタ１１６、第３の増幅器１１２は、第１周波数モードのときに動作可能となる第１処理回路を構成する。
【００１４】
また、第４の分周器１０５により（１／Ｎａ）、たとえば１／２に分周した１ＧＨｚの信号を、第３の切換増幅器１０８で増幅後、周波数シンセサイザ（可変分周器）１１８で比較周波数に分周して、外部より印加される基準周波数と比較し、位相ずれに対応する信号を出力する。周波数シンセサイザ１１８の出力はループフィルタ１１９を介して第１の発振器１００に印加する。このループにより第１の発振器１００の搬送波の周波数を安定させている。
【００１５】
次に第２の周波数（８００ＭＨｚ）モードの場合、第２の発振器１０１から周波数Ｆ２、たとえば３．２ＧＨｚの信号を生成し、第２の分週器１０３により（１／Ｎ２）、たとえば１／２に分周され、さらに、第３の分周器１０４により（１／Ｎ３）、たとえば１／２に分周され、８００ＭＨｚの互いに位相差が９０度の２つの搬送波ｆｏＩｂ，ｆｏＱｂを出力する。第１の切換増幅器１０６で搬送波ｆｏＩｂを増幅し、第２の切換増幅器１０７でもう一方の９０度位相のずれた搬送波ｆｏＱｂを増幅する。切替増幅器１０６，１０７のそれぞれの出力信号、及びベースバンド信号処理部からのベースバンド信号を直交変調器１０９に入力し変調信号を得る。以上のように、第２の周波数モードのときは、第３の搬送波ｆｏＩｂと、第４の搬送波ｆｏＱｂが選択され、処理される。
２つの分周器１０３，１０４をひとつの分週器で構成することも可能である。この場合は、（１／Ｎ２・Ｎ３）、たとえば１／４に分周される。
【００１６】
この出力を第４，第５の増幅器１１３，１１４で増幅し、第２のバンドパスフィルタ１１７で必要な帯域以外の周波数を除去し、第６の増幅器１１５により送信信号を増幅し、第２の共用器１２１、モードスイッチ１２２を通過し、外部アンテナ１２３に送られる。第４，第５の増幅器１１３，１１４、第２のバンドパスフィルタ１１７、第６の増幅器１１５は、第２周波数モードのときに動作可能となる第２処理回路を構成する。
【００１７】
また、第３の分周器１０４により８００ＭＨｚに分周された信号を、第３の切換増幅器１０８で増幅後、周波数シンセサイザ（可変分周器）１１８で比較周波数に分周して、外部より印加される基準周波数と比較し、位相ずれに対応する信号を出力する。周波数シンセサイザ１１８の出力はループフィルタ１１９を介して第２の発振器１０１に印加する。このループにより第２の発振器１０１の搬送波の周波数を安定させている。
第１の周波数モードと第２の周波数モードの切替は、図２に示す制御端子１２４に加わる信号により行われる。
一般に、高周波信号を扱う分周器は、分周する周波数が高ければ高いほど動作電流が多くなり、電流を多く流す必要がある。それは、分周器を構成するトランジスタの周波数特性に依存し、入力振幅に対し出力振幅を劣化させないために電流を多く流す必要がある。従って、分周器１０２より分周器１０５の方が、低い周波数を分周するので、動作電流は少ない。同様に、分周器１０３より分周器１０４の方が、低い周波数を分周するので、動作電流は少ない。
【００１８】
図２は本実施の形態１の図１に示す第１，第２の切換増幅器１０６，１０７の内部構成のブロック図、図３は回路図を示す図である。図２，図３において、１２４は制御端子、１２５，１２６は第１，第２の周波数入力端子対、１２７は周波数出力端子対、１２８は増幅器、１２９は切換スイッチ対である。
【００１９】
信号を出力させる第１の切換増幅器１０６，第２の切換増幅器１０７は、図２に示すような構成になっており、第１の周波数入力端子対１２５，第２の周波数入力端子対１２６を制御端子１２４に、２ＧＨｚモード（第１の周波数）あるいは８００ＭＨｚモード（第２の周波数）に対応した制御信号を送り、切換スイッチ対１２９を制御で切り換えることにより、周波数出力端子対１２７から増幅器１２８で増幅され、前述の制御に対応した第１の周波数あるいは第２の周波数の信号が出力される。
【００２０】
回路構成については図３に示すとおり、２ＧＨｚモードでは第１の周波数入力端子対１２５から信号を入力し、制御端子１２４に２ＧＨｚモードの切換信号を送り、増幅器１２８で信号が増幅されて、周波数出力端子対１２７より信号を出力する構成である。
【００２１】
このように中間周波数を使用しないことにより発振器の個数を削減でき、かつ変調器も２ＧＨｚモード，８００ＭＨｚモードを共通化することにより小型化が可能となる。
【００２２】
なお、本実施の形態１では２ＧＨｚモード，８００ＭＨｚモードを例として記述したが、これは一例であり一般化した周波数を用いても同様の効果を得られることは明らかである。
【００２３】
図４は本発明の実施の形態２におけるマルチモード無線送信機の概略構成を示すブロック図である。ここで、前述の実施の形態１を示す図１において説明した構成部材に対応し同等の機能を有するものには同一の符号を付してこれを示し、以下の各図においても同様とする。図４において、１３０は第５の分周器、１３１は第６の分周器であり、第５，第６の分周器１３０，１３１以外は図１と同様なので、その説明は省略する。
【００２４】
第１の周波数（２ＧＨｚ）モードの場合、第１の発振器１００から４ＧＨｚの信号を生成し、第５の分周器１３０により２ＧＨｚの互いに位相差が９０度の２つの搬送波ｆｏＩ，ｆｏＱに分周する。第１の切換増幅器１０６で搬送波ｆｏＩを増幅し、第２の切換増幅器１０７でもう一方の９０度位相のずれた搬送波ｆｏＱを増幅したそれぞれの出力信号、及びベースバンド信号処理部からのベースバンド信号を直交変調器１０９に入力し変調信号を得る。
【００２５】
この出力を第１，第２の増幅器１１０，１１１で増幅して、第１のバンドパスフィルタ１１６で必要な帯域以外の周波数を除去し、さらに第３の増幅器１１２により送信信号を増幅し、第１の共用器１２０，モードスイッチ１２２を通過し、外部アンテナ１２３に送られる。
【００２６】
また、第６の分周器１３１により１ＧＨｚの信号に分周された信号を、第３の切換増幅器１０８で増幅後、周波数シンセサイザ（可変分周器）１１８で比較周波数に分周して、外部より印加される基準周波数と比較し、位相ずれに対応する信号を出力する。周波数シンセサイザ１１８の出力はループフィルタ１１９を介して第１の発振器１００に印加する。このループにより第１の発振器１００の搬送波の周波数を安定させている。
【００２７】
次に第２の周波数（８００ＭＨｚ）モードの場合、第２の発振器１０１から３．２ＧＨｚの信号を生成し、第５，第６の分周器１３０，１３１により８００ＭＨｚの互いに位相差が９０度の２つの搬送波ｆｏＩ，ｆｏＱに分周する。第１の切換増幅器１０６で搬送波ｆｏＩを増幅し、第２の切換増幅器１０７でもう一方の９０度位相のずれた搬送波ｆｏＱを増幅したそれぞれの出力信号、及びベースバンド信号処理部からのベースバンド信号を直交変調器１０９に入力し変調信号を得る。
【００２８】
この出力を第４，第５の増幅器１１３，１１４で増幅し、第２のバンドパスフィルタ１１７で必要な帯域以外の周波数を除去し、第６の増幅器１１５により送信信号を増幅し、第２の共用器１２１，モードスイッチ１２２を通過し、外部アンテナ１２３に送られる。
【００２９】
また、第６の分周器１３１により８００ＭＨｚに分周された信号を、第３の切換増幅器１０８で増幅後、周波数シンセサイザ（可変分周器）１１８で比較周波数に分周して、外部より印加される基準周波数と比較し、位相ずれに対応する信号を出力する。周波数シンセサイザ１１８の出力はループフィルタ１１９を介して第２の発振器１０１に印加する。このループにより第２の発振器１０１の搬送波の周波数を安定させている。
【００３０】
なお、本実施の形態２では２ＧＨｚモード，８００ＭＨｚモードを例として記述したが、これは一例であり一般化した周波数を用いても同様の効果を得られることは明らかである。
【００３１】
図５は本発明の実施の形態３におけるマルチモード無線送信機の概略構成を示す図である。図５において、１３２は第３の発振器であり、第３の発振器１３２以外は前述した実施の形態２の図４と同様なのでその説明を省略する。
【００３２】
第１の周波数（２ＧＨｚ）モードの場合、第３の発振器１３２から４ＧＨｚの信号を生成し、第５の分周器１３０により２ＧＨｚの互いに位相差が９０度の２つの搬送波ｆｏＩ，ｆｏＱに分周する。第１の切換増幅器１０６で搬送波ｆｏＩを増幅し、第２の切換増幅器１０７でもう一方の９０度位相のずれた搬送波ｆｏＱを増幅したそれぞれの出力信号、及びベースバンド信号処理部からのベースバンド信号を直交変調器１０９に入力し変調信号を得る。
【００３３】
この出力を第１，第２の増幅器１１０，１１１で増幅して、第１のバンドパスフィルタ１１６で必要な帯域以外の周波数を除去し、さらに第３の増幅器１１２により送信信号を増幅し、第１の共用器１２０，モードスイッチ１２２を通過し、外部アンテナ１２３に送られる。
【００３４】
また、第６の分周器１３１により１ＧＨｚの信号に分周された信号を、第３の切換増幅器１０８で増幅後、周波数シンセサイザ（可変分周器）１１８で比較周波数に分周して、外部より印加される基準周波数と比較し、位相ずれに対応する信号を出力する。周波数シンセサイザ１１８の出力はループフィルタ１１９を介して第３の発振器１３２に印加する。このループにより第３の発振器１３２の搬送波の周波数を安定させている。
【００３５】
次に第２の周波数（８００ＭＨｚ）モードの場合、第３の発振器１３２から３．２ＧＨｚの信号を生成し、第５，第６の分周器１３０，１３１により８００ＭＨｚの互いに位相差が９０度の２つの搬送波ｆｏＩ，ｆｏＱに分周する。第１の切換増幅器１０６で搬送波ｆｏＩを増幅し、第２の切換増幅器１０７でもう一方の９０度位相のずれた搬送波ｆｏＱを増幅したそれぞれの出力信号、及びベースバンド信号処理部からのベースバンド信号を直交変調器１０９に入力し変調信号を得る。
【００３６】
この出力を第４，第５の増幅器１１３，１１４で増幅し、第２のバンドパスフィルタ１１７で必要な帯域以外の周波数を除去し、第６の増幅器１１５により送信信号を増幅し、第２の共用器１２１，モードスイッチ１２２を通過し、外部アンテナ１２３に送られる。
【００３７】
また、第６の分周器１３１により８００ＭＨｚに分周された信号を、第３の切換増幅器１０８で増幅後、周波数シンセサイザ（可変分周器）１１８で比較周波数に分周して、外部より印加される基準周波数と比較し、位相ずれに対応する信号を出力する。周波数シンセサイザ１１８の出力はループフィルタ１１９を介して第３の発振器１３２に印加する。このループにより第３の発振器１３２の搬送波の周波数を安定させている。
【００３８】
なお、本実施の形態３では２ＧＨｚモード，８００ＭＨｚモードを例として記述したが、これは一例であり一般化した周波数を用いても同様の効果を得られることは明らかである。
【００３９】
また、本実施の携帯１〜３のマルチモード無線送信機を用いて、直交変調器の出力段に接続した第１〜６の増幅器、第１，第２のバンドパスフィルタ、第１，第２の共用器、モードスイッチ、外部アンテナと、第１，第２の共用器を介して接続した受信手段（ＲＸ）により無線送信機を構成しても良い。
【産業上の利用可能性】
【００４０】
本発明に係るマルチモード無線送信機及びこれを用いた携帯無線機は、中間周波数を使用せず発振器の個数を削減し、かつ変調器も共通化して小型化でき、直交変調器の共通化によりベースバンド信号処理部の信号入力端子を少なく、キャリアリークの調整も容易にでき、携帯無線通信機器の高周波集積回路等として有用である。
【図面の簡単な説明】
【００４１】
【図１】本発明の実施の形態１におけるマルチモード無線送信機の概略構成を示すブロック図
【図２】本実施の形態１における切換増幅器の内部構成を示すブロック図
【図３】本実施の形態１における切換増幅器の回路図
【図４】本発明の実施の形態２におけるマルチモード無線送信機の概略構成を示すブロック図
【図５】本発明の実施の形態３におけるマルチモード無線送信機の概略構成を示すブロック図
【符号の説明】
【００４２】
１００，１０１，１３２  発振器
１０２，１０３，１０４，１０５，１３０，１３１  分周器
１０６，１０７，１０８  切換増幅器
１０９  直交変調器
１１０，１１１，１１２，１１３，１１４，１１５  増幅器
１１６，１１７  バンドパスフィルタ
１１８  周波数シンセサイザ
１１９  ループフィルタ
１２０，１２１  共用器
１２２  モードスイッチ
１２３  アンテナ
１２４  制御端子
１２５，１２６  周波数入力端子対
１２７  周波数出力端子対
１２８  増幅器
【図１】
2005287001.tif 000003
【図２】
2005287001.tif 000004
【図３】
2005287001.tif 000005
【図４】
2005287001.tif 000006
【図５】
2005287001.tif 000007